(57)【要約】  本発明は、パケット・ケーブル・ネットワークをインターネット・プロトコル（ＩＰ）マルチメディア・サブシステム（ＩＭＳ）（Ｉｎｔｅｒｎｅｔ  Ｐｒｏｔｏｃｏｌ  Ｍｕｌｔｉｍｅｄｉａ  Ｓｕｂｓｙｓｔｅｍ）とインターフェース接続するためのケーブル・ゲートウェイを提供する。このケーブル・ゲートウェイは、埋め込みマルチメディア端末アダプタ（Ｅ−ＭＴＡ）（Ｅｍｂｅｄｄｅｄ  Ｍｕｌｔｉｍｅｄｉａ  Ｔｅｒｍｉｎａｌ  Ａｄａｐｔｏｒ）インターフェースを、ＩＭＳにＥ−ＭＴＡインターフェースがＳＩＰユーザ機器として見えるように正規化し、初期化、呼シグナリング、登録、認証およびセキュリティを行う変換ソフトウェアを備えたＥ−ＭＴＡ正規化機能を備える。このケーブル・ゲートウェイは、また、ＩＭＳとリモートＣＭＳ間を往来する呼を混合するＣＭＳＳ／Ｍｗ正規化機能と、ＣＭＴＳとのシグナリング・インターフェースを実現し、Ｅ−ＭＴＡ正規化機能およびＣＭＳＳ／Ｍｗ正規化機能がＣＭＴＳと対話してよいようにし、呼フロー・プロトコルを正規化するゲート・コントローラ機能とを備える。このケーブル・ゲートウェイは、また、パケット・ケーブル・マルチメディア（ＰＣＭＭ）（Ｐａｃｋｅｔ  Ｃａｂｌｅ  Ｍｕｌｔｉｍｅｄｉａ）インターフェースおよびＰＣＭＭアプリケーション・マネージャを実現するＰＣＭＭポリシー決定ポイント（ＰＤＰ）（Ｐｏｌｉｃｙ  Ｄｅｃｉｓｉｏｎ  Ｐｏｉｎｔ）機能、ならびにユーザ機器への、およびユーザ機器からのＳＩＰメッセージをモニタするＧｏプロキシも備える。このケーブル・ゲートウェイは、また、パケット・ケーブル記録保持サーバへのインターフェースを実現し、ケーブル・ゲートウェイ上の呼関連のイベントの生成をサポートするイベント・マネージャも備える。
2009510812.tif 000002
【特許請求の範囲】
【請求項１】
ＩＰマルチメディア・サブシステム（ＩＭＳ）（ＩＰ  Ｍｕｌｔｉｍｅｄｉａ  Ｓｕｂｓｙｓｔｅｍ）に埋め込みマルチメディア端末アダプタ（Ｅ−ＭＴＡ）インターフェースを、Ｅ−ＭＴＡインターフェースがＳＩＰユーザ機器として見えるように前期Ｅ−ＭＴＡインターフェース正規化し、初期化、呼シグナリング、登録、認証およびセキュリティを行う変換ソフトウェアを有するＥ−ＭＴＡ正規化機能と、
前記ＩＭＳとリモートＣＭＳ間を往来する呼を混合する呼管理サーバ・シグナリング（ＣＭＳＳ）／Ｍｗ正規化機能と、
ケーブル・モデム終端システム（ＣＭＴＳ）へのシグナリング・インターフェースを実現し、前記Ｅ−ＭＴＡ正規化機能および前記ＣＭＳＳ／Ｍｗ正規化機能が前記ＣＭＴＳと対話してＱｏＳゲートを呼フロー・プロトコルの正規化の一部として定義、動作、および破壊することを可能にするゲート・コントローラ機能と、
ＰａｃｋｅｔＣａｂｌｅマルチメディア（ＰＣＭＭ）（ＰａｃｋｅｔＣａｂｌｅ  Ｍｕｌｔｉｍｅｄｉａ）アプリケーション・マネージャからＰＣＭＭポリシー・サーバへのＰＣＭＭインターフェースを実現し、ＰＣＭＭポリシー決定ポイント（ＰＤＰ）が前記ＰＣＭＭアプリケーション・マネージャを実現するＰＣＭＭ  ＰＤＰ機能と、
ユーザ機器への、およびユーザ機器からのＳＩＰメッセージをモニタし、前記ユーザ機器用にＱｏＳプロキシ中へのインターフェースを実現するＧｏプロキシと、
ＰａｃｋｅｔＣａｂｌｅ記録保持サーバへのインターフェースを実現し、ケーブル・ゲートウェイ上の呼関連のイベントの生成をサポートするイベント・マネージャと
を有するケーブル・ゲートウェイ。
【請求項２】
前記Ｅ−ＭＴＡ正規化機能が
前記Ｅ−ＭＴＡのＮＣＳプロトコルを、受け入れられるプロトコルにマッピングする責務を有するＮＣＳ呼エージェントと、
初期化、認証およびセキュリティを行うＭＴＡ許可機能と
を有する、請求項１に記載のケーブル・ゲートウェイ。
【請求項３】
ケーブル・ゲートウェイが、前記Ｅ−ＭＴＡを表すプロキシ・ユーザ機器のＨＴＴＰ  Ｄｉｇｅｓｔ認証用のユーザＩＤおよびパスワードを記憶する、請求項１に記載のケーブル・ゲートウェイ。
【請求項４】
前記ＣＭＳＳ／Ｍｗ正規化機能が、アーキテクチャに固有のパラメータを運ぶための拡張子を有するＳＩＰインターフェースを提供するソフトウェアを有する、請求項１に記載のケーブル・ゲートウェイ。
【請求項５】
前記ＣＭＳＳ／Ｍｗ正規化機能がＩＭＳセッション制御およびフィーチャ・サーバと標準ＣＭＳとの対話のサポートを有する、請求項１に記載のケーブル・ゲートウェイ。
【請求項６】
ＩＭＳ実施態様が所定のインターフェースをサポートしない場合にＧｏプロキシが使用される、請求項１に記載のケーブル・ゲートウェイ。
【請求項７】
ＧｏプロキシがＩＭＳインターフェースを、ＩＭＳユーザ機器から送信されるＳＩＰインターフェースの複製から導出する、請求項１に記載のケーブル・ゲートウェイ。
【請求項８】
変換のために加入者情報が必要な場合にケーブル・ゲートウェイのみが加入者情報をプロビジョニングする、請求項１に記載のケーブル・ゲートウェイ。
【請求項９】
ケーブル・ゲートウェイがゲート・コントローラとして機能する、請求項１に記載のケーブル・ゲートウェイ。
【請求項１０】
ケーブル・ゲートウェイが、ＰＣＭＭポリシー・サーバと対話するＰＣＭＭアプリケーション・マネージャとして機能する、請求項１に記載のケーブル・ゲートウェイ。  
【発明の詳細な説明】
【技術分野】
【０００１】
本発明は概ね通信システムに関し、より詳細にはＩＰマルチメディア・サブシステムに関する。
【背景技術】
【０００２】
事業者、ケーブル研究所（ｃａｂｌｅ  ｌａｂｏｒａｔｏｒｉｅｓ）、および機器製造業者からなる世界ケーブル・ネットワーク・コミュニティは、ブロードキャスト・ビデオ、ブロードバンド・データ・アクセス、および一次ライン音声を組み合わせた３種（ｔｒｉｐｌｅ−ｐｌａｙ）サービス・バンドルに関する成功した、競争力のある商品を開発した。これらのサービスは他の遠隔通信技術およびネットワークを十分に理解して開発されたが、その定義および実装は、ブロードキャスト最適化同軸ケーブル・アクセス・ネットワークによる信号配信の性能および制限に合わせて調整されており、ケーブル市場で競争することを選んだ機器製造業者からの特殊化した製品目録を必要としている。
【０００３】
もはやケーブル事業者だけがこれら３つのサービスを消費者に提供するのではない。今では、伝統的なＰＳＴＮ事業者がショート・ループＤＳＬ技術を使って高帯域サービスをサポートするためにファイバをネットワークに深く延長している。例えば、ファイバを近傍まで延長したり、ＦＴＴＰのように直接にファイバを構内（ｐｒｅｍｉｓｅ）まで延長したりしている。消費者が高帯域を利用できるので、ＰＳＴＮ事業者は、テレビ・ブロードキャスト、データ、および音声を１つのＩＰパッケージで提供することができる。そして、ＰＳＴＮ事業者が移動ネットワークの経験があると、次のステップは、トリプル・バンドルにワイヤレス・サービスを追加した４種（ｑｕａｄｒｕｐｌｅ−ｐｌａｙ）バンドルを作成することである。ケーブル・コミュニティは、競争力を保ち続けるのに役立つように、３種（ｔｒｉｐｌｅ−ｐｌａｙ）バンドルにワイヤレスの移動サービスを追加する次世代ネットワーク（ＮＧＮ）（Ｎｅｘｔ  Ｇｅｎｅｒａｔｉｏｎ  Ｎｅｔｗｏｒｋ）を定義および実装する必要がある決断点に到達した。
【発明の開示】
【発明が解決しようとする課題】
【０００４】
ＮＧＮの定義についてケーブル事業者が辿るべき主要な２つの道がある。第１の道は、彼らが過去に行ったことを繰り返し、ＣａｂｌｅＬａｂｓに、ワイヤレス・アクセス、加入者の移動、およびＮＧＮの他の局面（例えば、独立した第三者の用途を育てるセッション・フレームワークなど）に対応するパケット・ケーブル規格の拡張を定義する権利を与えることである。この道に沿って、機器提供者は、ケーブル・コミュニティのための特殊な製品ラインをサポートし、ＣａｂｌｅＬａｂｓと共に製品を保証し、ＤＳＬおよびＦＴＴＰのような他のブロードバンド・アクセス技術を追及する事業者に適した製品世界と並行して別の製品世界の製品を管理することが必要になるだろう。
【０００５】
第２の道は、同軸ケーブルが１つのブロードバンド・アクセス技術であって、多くの中の１つに過ぎないことをケーブル事業者が理解することである。同軸ケーブルはネットワーク技術ではないのであって、ケーブル事業者のＮＧＮ用の組織化原理として使用すべきではない。将来、ブロードバンド・サービス事業者は、おそらくケーブル、ＰＯＮ、ＤＳＬ、ＢＦＷＡなど複数のタイプのアクセス・ネットワークを所有するようになるだろうし、新しいアクセス技術を吸収するためにケーブルのフットプリントを拡大するという見方からだけではなく、柔軟性および経済性のために、それらのすべてと協働するＮＧＮが必要になるだろう。ブロードバンド・サービス提供者は既存の非ケーブル・ブロードバンド・ネットワークを購入して、それに付属しているネットワーク・インフラストラクチャを再利用する必要があるだろう。ＮＧＮの基本設定は、ＮＧＮにおけるアクセス技術からのサービスの独立のために基本的に必要なことである。しかし、さらに重要なことには、前述のアクセス・ネットワークの上位になるＮＧＮ用の規格および製品の定義は、並行した定義で、個別にではなく、種々のアクセス技術にわたって協調的に行われるべきである。
したがって、アクセス技術から独立するように設計された次世代アーキテクチャの必要性が存在する。
【０００６】
本発明は、標準のＰａｃｋｅｔＣａｂｌｅアクセス・ネットワークおよび加入者装置を３ＧＰＰ／３ＧＰＰ２  ＩＭＳアーキテクチャのインターフェースおよびエレメントに正規化するのに役立つ１組の機能エレメントを提供する。
【課題を解決するための手段】
【０００７】
本発明はケーブル・ゲートウェイを提供し、このケーブル・ゲートウェイは、ＰａｃｋｅｔＣａｂｌｅ  １．５ネットワークのエレメントに対してはＰａｃｋｅｔＣａｂｌｅ  ＣＭＳのように見え、ＩＭＳネットワークに対してはＩＭＳ機能エレメントのように見えるようにする独立したコンピューティング・サーバである。ＰａｃｋｅｔＣａｂｌｅ  １．５ユーザ機器（ＵＥ）およびＳＩＰ  ＵＥは両方とも、セッション制御およびマルチメディア・サービスをＩＭＳネットワーク内のコア・エレメントおよびアプリケーション・サーバから受信する。すべての加入者情報が好ましくはＩＭＳ  ＨＳＳにプロビジョニングされ、ＰａｃｋｅｔＣａｂｌｅおよびＩＭＳ方法とインターフェース間の変換に必要な加入者データのみがケーブル・ゲートウェイに送信されるか、またはケーブル・ゲートウェイにプロビジョニングされる。ケーブル・アクセス・ネットワーク上のエンドポイントのためのサービスの品質は、ＣＭＴＳ上の高品質ゲートの標準的な使用によって提供される。
【０００８】
ＰａｃｋｅｔＣａｂｌｅ  １．５  ＵＥの場合、ケーブル・ゲートウェイはＰａｃｋｅｔＣａｂｌｅ  １．５ゲート・コントローラとして機能する。ＮＣＳプロトコル、およびＩＭＳ  Ｇｍインターフェース上のＳＩＰプロトコルへの／からのＮＣＳプロトコルの変換がＣＭＴＳ上の高品質ゲートの設定および除去をトリガーする。ケーブル・アクセス・ネットワーク上のＩＭＳ  ＵＥの場合、ケーブル・ゲートウェイは、標準のＰＣＭＭポリシー・サーバと対話する標準のＰＣＭＭアプリケーション・マネージャとして機能する。ＩＭＳポリシー決定機能（ＰＤＦ）が、ケーブル・ゲートウェイとのＩＭＳ  ＧｏまたはＧｑインターフェースを介してＣＭＴＳ上の高品質ゲートの設定および除去を間接的にトリガーする。
【発明を実施するための最良の形態】
【０００９】
図１は、本発明の例示的な実施形態に従ったＶｏＩＰ用途において消費者機能を提供するケーブル・ゲートウェイ１０１を備えた通信システム１００を示している。通信システム１００は、ケーブル・ゲートウェイ１０１、Ｅ−ＭＴＡ（Ｅｍｂｅｄｄｅｄ  Ｍｕｌｔｉｍｅｄｉａ  Ｔｅｒｍｉｎａｌ  Ａｄａｐｔｏｒ（埋め込みマルチメディア端末アダプタ））１１２、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ（プロキシ呼セッション制御機能））１１３、ＰＤＦ（Ｐｏｌｉｃｙ  Ｄｅｃｉｓｉｏｎ  Ｆｕｎｃｔｉｏｎ（ポリシー決定機能））１１４、ＳＩＰ  ＵＥ  １１９、Ｉ／Ｓ−ＣＳＣＦ  １２２、リモートＣＭＳ  １２３、ＣＭＴＳ（Ｃａｂｌｅ  Ｍｏｄｅｍ  Ｔｅｒｍｉｎａｔｉｏｎ  Ｓｙｓｔｅｍ（ケーブル・モデム終端システム））１３２、ＰＣＭＭ（ＰａｃｋｅｔＣａｂｌｅ  Ｍｕｌｔｉｍｅｄｉａ（ＰａｃｋｅｔＣａｂｌｅマルチメディア））ポリシー・サーバ１４２、およびＲＫＳ（Ｒｅｃｏｒｄ  Ｋｅｅｐｉｎｇ  Ｓｅｒｖｅｒ（記録保持サーバ））１７２を備える。ケーブル・ゲートウェイ１０１は、Ｅ−ＭＴＡ正規化１１１、ＣＭＳＳ／Ｍｗ正規化１２１、ゲート・コントローラ（Ｅ−ＭＴＡ）１３１、ＰＣＭＭ（ＰａｃｋｅｔＣａｂｌｅ  Ｍｕｌｔｉｍｅｄｉａ（ＰａｃｋｅｔＣａｂｌｅマルチメディア））ＰＤＰ（Ｐｏｌｉｃｙ  Ｄｅｃｉｓｉｏｎ  Ｐｏｉｎｔ（ポリシー決定ポイント））１４１、Ｇｏプロキシ１５１、およびイベント・マネージャ１７１を備える。本発明の例示的な実施形態によると、通信システム１００のＩＭＳエレメント、Ｐ−ＣＳＣＦ  １１３、ＰＤＦ  １１４、Ｉ／Ｓ−ＣＳＣＦ  １２２、およびＳＩＰ  ＵＥ  １１９とのインターフェースおよび対話はＬｕｃｅｎｔ  Ｆｅａｔｕｒｅ  Ｓｅｒｖｅｒ  ５０００によってその埋め込みＣＳＣＦおよびＨＳＳ機能を用いて定義される。
【００１０】
ケーブル・ゲートウェイ１０１は論理的に２つのエレメント、すなわち、ＣＭＳプロキシおよびＰＣＭＭアプリケーション・マネージャに分割される。ＣＭＳプロキシは、好ましくは、それがＰａｃｋｅｔＣａｂｌｅ  １．５  ＣＭＳであるかのようにＰａｃｋｅｔＣａｂｌｅ  １．５  Ｅ−ＭＴＡ群と対話し、Ｅ−ＭＴＡの動作を、ＩＭＳネットワークにＥ−ＭＴＡがＩＭＳユーザ機器の複数のインスタンスとして見えるように正規化する。ＣＭＳプロキシは４つの論理機能、すなわち、Ｅ−ＭＴＡ正規化１１１、ＣＭＳＳ／Ｍｗ正規化１２１、ゲート・コントローラ１３１、およびイベント・マネージャ１７１を有する。Ｅ−ＭＴＡ正規化機能１１１はＰａｃｋｅｔＣａｂｌｅ  Ｅ−ＭＴＡインターフェースと直接に対話し、その動作をＩＭＳ  Ｇｍ（ＳＩＰ）インターフェースに合わせて正規化する。ＣＭＳＳ／Ｍｗ正規化機能１２１は、Ｍｗ（ＳＩＰ）インターフェースを介するＩＭＳ／ＩＳ−ＣＳＣＦを、ＣＭＳＳプロトコルを使用する複数のＰａｃｋｅｔＣａｂｌｅインターフェースを介するリモートＰａｃｋｅｔＣａｂｌｅ  １．５  ＣＭＳと混合（ｉｎｔｅｒｗｏｒｋ）する。ゲート・コントローラ機能１３１は、ＱｏＳゲートを管理するためにＰａｃｋｅｔＣａｂｌｅ  １．５  ＣＭＴＳと通信する。イベント・マネージャ機能１７１は呼イベントを用いてＰａｃｋｅｔＣａｂｌｅ  １．５記録保持サーバ（ＲＫＳ）（Ｒｅｃｏｒｄ  Ｋｅｅｐｉｎｇ  Ｓｅｒｖｅｒ）と通信する。
【００１１】
ＰＣＭＭアプリケーション・マネージャ（ＡＭ）はＰＣＭＭ  ＰＤＰ  １４１およびＧｏプロキシ１５１を有する。ＰＣＭＭ−ＡＭは、呼フロー・プロトコルの正規化の一部としてＰＣＭＭ  ＣＭＴＳ上のＱｏＳゲートの定義、動作、および破壊を成し遂げるためにＰＣＭＭポリシー・サーバ１４２と対話する。ＰＣＭＭ  ＡＭの使用は、ＰａｃｋｅｔＣａｂｌｅ  １．５のＥ−ＭＴＡプロトコルに従わず、Ｇｍ（ＳＩＰ）インターフェースを介してＩＭＳ  ＵＥとしてＩＭＳに直接に作用するケーブル・ネットワーク上のＵＥ用に指定される。ＩＭＳからのＱｏＳ要求の通信用に２つのＩＭＳインターフェース、すなわち、Ｐ−ＣＳＣＦ  １１３からのＧｑ（Ｄｉａｍｅｔｅｒ）インターフェースおよびＰＤＦ  １１４からのＧｏ（ＣＯＰＳ）インターフェースがサポートされることが好ましい。これらのインターフェースはＰ−ＣＳＣＦ  １１３内に内蔵することができる。
【００１２】
ケーブル・ゲートウェイ１０１は、ＰａｃｋｅｔＣａｂｌｅ  １．５またはＰａｃｋｅｔＣａｂｌｅマルチメディア・アクセス・ネットワーク上のエンドポイントをＩＭＳ  Ｇｍ（ＳＩＰ）インターフェースに従う見かけ上のＳＩＰユーザ機器へと正規化することを可能にする機能の集まりである。ケーブル・ゲートウェイ１０１は、ＰａｃｋｅｔＣａｂｌｅ／ＤＯＣＳＩＳアクセス・ネットワークを３ＧＰＰ／３ＧＰＰ２  ＩＭＳに統合するために必要な主要なソフトウェア製品である。ケーブル・ゲートウェイ１０１の主な目的は、ＰａｃｋｅｔＣａｂｌｅ  ＵＥを通信システム１００のＩＭＳエレメントに合わせて見かけ上のＩＭＳ  ＵＥに正規化することである。
【００１３】
Ｅ−ＭＴＡ正規化１１１はＥ−ＭＴＡインターフェースを、ＩＭＳにＥ−ＭＴＡインターフェースがＩＭＳ  Ｇｍインターフェースに従うＳＩＰユーザ機器として見えるように正規化する変換ソフトウェアを有する。正規化は好ましくは次のＰａｃｋｅｔＣａｂｌｅインターフェース、すなわち、Ｐｋｔ−ｐ６（Ｋｅｒｂｅｒｏｓ）、Ｐｋｔ−ｃ１（ＮＣＳ）、Ｐｋｔ−ｑ３（ＤＱｏＳ）およびＩＰＳｅｃで実施される呼シグナリング、初期化、認証およびセキュリティを対象とする。
【００１４】
Ｅ−ＭＴＡ正規化ソフトウェア１１１は、Ｅ−ＭＴＡの動作をＩＭＳによってＳＩＰ  ＵＥ  １１９用に期待される動作へ正規化することのディスカッションのための収集エリアを提供するＣＭＳプロキシ内の論理的定義である。正規化には、２つの論理的ソフトウェア・ユニット、すなわちＮＣＳ呼エージェントおよびＭＴＡ許可が定義されることが好ましい。さらなる例示的な実施形態に従えば、正規化機能は各種構成の中のパーティションであってよい。
【００１５】
ＮＣＳ呼エージェントは、Ｅ−ＭＴＡのＮＣＳプロトコルをＩＭＳ  Ｇｍ（ＳＩＰ）プロトコルにマッピングする責務を有する。ＮＣＳの詳細についてはＣａｂｌｅＬａｂｓの仕様を参照できる。ＮＣＳ呼エージェントは、ＮＣＳ呼エージェントがＰａｃｋｅｔＣａｂｌｅ  １．５  ＣＭＳであるかのようにＥ−ＭＴＡと対話すべきである。ＩＭＳとの対話の場合、各Ｅ−ＭＴＡは、Ｌｕｃｅｎｔ  Ｆｅａｔｕｒｅ  Ｓｅｒｖｅｒ  ５０００に対して実際のＩＭＳ  ＵＥのように見えることを維持する関連プロキシＵＥを有すべきである。このプロキシＵＥは好ましくは拡張エンドポイント、すなわち、呼待機および呼転送のような呼処理機能をローカルで実施できるエンドポイントとして実装され、また好ましくはプロビジョニング調和機能を用いて標準のＩＭＳプロビジョニング・サーバからプロビジョニングされる。
【００１６】
ＭＴＡ許可は初期化、認証およびセキュリティを含む。ＭＴＡ許可は、好ましくは、Ｇｍ（ＳＩＰ）インターフェースで使用される登録方法にマッピングされるＰａｃｋｅｔＣａｂｌｅ  １．５の方法を使用する。Ｅ−ＭＴＡとプロキシＳＩＰ  ＵＥのセキュリティの関連付けのタイムアウトは、ＩＭＳでの登録のタイムアウトの前にＥ−ＭＴＡ  １１１からの再認証要求が出されるように調整されることが好ましい。
【００１７】
ＭＴＡ許可の認証は、好ましくはＰａｃｋｅｔＣａｂｌｅ  １．５の方法に従う。ケーブル・ゲートウェイ１０１でＩＭＳに合わせて維持されるプロキシＵＥの認証は、好ましくはＩＭＳの方法に従う。例示的な実施形態では、Ｌｕｃｅｎｔ  ＦＳ  ５０００は、ＩＥＴＦ  ＲＦＣ  ２６１７およびＩＥＴＦ  ＲＦＣ  １３２１で指定されたＨＴＴＰ  ＤｉｇｅｓｔフレームワークおよびＭＤ５アルゴリズムを用いてアクセス認証を実行する。この認証は、ＲＥＧＩＳＴＥＲ要求ごとに実行される。ケーブル・ゲートウェイ１０１は、好ましくはＥ−ＭＴＡ加入を表すプロキシＵＥのＨＴＴＰ  Ｄｉｇｅｓｔ認証に使用されるユーザＩＤおよびパスワードを保有するトラステッド・デバイスである。単一のＥ−ＭＴＡによって複数の加入（アナログ電話線）がサポートできることを理解すべきである。
【００１８】
ＣＭＳＳ／Ｍｗ正規化１２１は、ＩＭＳとリモートＣＭＳ  １２３間を往来する呼を混合する（ｉｎｔｅｒｗｏｒｋ）ソフトウェアを有する。ＣＭＳＳ／Ｍｗ正規化ソフトウェア１２１は、ＰａｃｋｅｔＣａｂｌｅアーキテクチャに固有のパラメータを運ぶために提供される拡張子付きのＳＩＰインターフェースを提供する。例示的な実施形態では、呼処理およびセッション制御はケーブル・ゲートウェイ１０１の外で実行されるので、ＩＭＳセッション制御およびフィーチャ・サーバと標準ＰａｃｋｅｔＣａｂｌｅ  １．５  ＣＭＳとの対話をサポートするために正規化ソフトウェアが使用される。Ｉ／Ｓ−ＣＳＣＦ  １２２からのＩＭＳ  Ｍｗインターフェースは、好ましくはＣＭＳＳ／Ｍｗ正規化１２１からのＣＭＳＳインターフェースで正規化される。
【００１９】
ゲート・コントローラ（Ｅ−ＭＴＡ）１３１は、好ましくはＣＭＴＳ  １３２との標準ＰａｃｋｅｔＣａｂｌｅ  １．５シグナリング・インターフェースを実現するソフトウェアを有する。サポートされるインターフェースとしては、好ましくはＰｋｔ−ｅｍ１、Ｐｋｔ−ｑ４およびＰｋｔ−ｅ１（ＤＱｏＳ）がある。本発明の例示的実施形態においては、ＰａｃｋｅｔＣａｂｌｅセキュリティがこれらのインターフェースに適用される。ゲート・コントローラ１３１は、Ｅ−ＭＴＡ正規化１１１およびＣＭＳＳ／Ｍｗ正規化１２１がＣＭＴＳ  １３２と対話して呼フロー・プロトコルの正規化の一部としてＱｏＳゲートを定義、動作、および破壊してよいようにするために必要なソフトウェアを備える。
【００２０】
ＰＣＭＭ  ＰＤＰ  １４１は、アプリケーション・マネージャからＰＣＭＭポリシー・サーバ１４２へのＰａｃｋｅｔＣａｂｌｅマルチメディアＰｋｔ−ｍｍ３（ＣＯＰＳ）インターフェースを実現するソフトウェアを有する。例示的な実施形態において、ＰａｃｋｅｔＣａｂｌｅセキュリティがこのインターフェースに適用される。
【００２１】
ＰＣＭＭ  ＰＤＰ  １４１はＰＣＭＭアプリケーション・マネージャ（ＡＭ）機能を実現する。ＰＣＭＭ  ＰＤＰ  １４１は、好ましくはＰＤＦ  １１４からのＧｏ（ＣＯＰＳ）インターフェースを受け入れ、任意でＰ−ＣＳＣＦ  １１３からのＧｑ（Ｄｉａｍｅｔｅｒ）インターフェースを受け入れる。ＰＣＭＭ  ＰＤＰ  １４１は、好ましくは、これらのインターフェース上のプロトコルに対して、ＳＩＰ  ＵＥ  １１９用のＱｏＳプロキシとして動作して、ＰＣＭＭポリシー・サーバ（ＰＳ）１４２へのＣＯＰＳコマンドで応答する。ＰＣＭＭ  ＰＳ  １４２からの応答はＩＭＳインターフェース上で適切なアクションに変換される必要がある。
【００２２】
ＩＭＳでは、２つのＵＥがＳＩＰおよびＳＤＰを用いてエンド・ツー・エンドのメッセージ交換を行って、使用されるコーデックのようなメディアの特性をネゴシエーションする。Ｐ−ＣＳＣＦ  １１３が好ましくはＳＤＰ情報を使用し、それによりＩＰアクセス・ネットワーク上のサービスの品質に関するポリシー決定を行うか、またはＰＤＦ  １１４のような外部ポリシー決定機能と対話する。ＩＭＳ  Ｒ５では、Ｐ−ＣＳＣＦ  １１３が内部でポリシー決定機能を実行して、Ｇｏ（ＣＯＰＳ）インターフェースを用いてＧＧＳＮにＩＰ  ＱｏＳパラメータを直接送信する。ＩＭＳ  Ｒ６では、ＰＤＦ  １１４はＰ−ＣＳＣＦ  １１３から分離されて独立したユニットになる。Ｒ６  Ｐ−ＣＳＣＦはＧｑ（Ｄｉａｍｅｔｅｒ）インターフェースを介してＰＤＦ  １１４と対話し、Ｒ６  ＰＤＦはＧｏ（ＣＯＰＳ）インターフェースを用いてＧＳＭ／ＵＭＴＳゲートウェイＧＰＲＳサポート・ノード（ＧＧＳＮ）と対話する。
【００２３】
ＰＣＭＭ  ＰＤＰ  １４１の場合、Ｇｏ（ＣＯＰＳ）インターフェースがＲ５およびＲ６の両方で適用されるので、Ｇｏ（ＣＯＰＳ）インターフェースが実装するのに好ましいインターフェースである。ＰＣＭＭ  ＰＤＰ  １４１は、好ましくはＧＧＳＮ向けのＧｏ（ＣＯＰＳ）インターフェース上のコマンドおよび応答を、標準ＰＣＭＭポリシー・サーバ１４２へのＰｋｔ−ｍｍ３（ＣＯＰＳ）インターフェース上のコマンドおよび応答に変換する。Ｇｑ（Ｄｉａｍｅｔｅｒ）インターフェースは、内蔵ＰＤＦとインターフェース接続する場合にケーブル・ゲートウェイ１０１内に代替で実装することができる。
【００２４】
Ｇｏプロキシ１５１は、ＳＩＰ  ＵＥ  １１９への、およびＳＩＰ  ＵＥ  １１９からのＳＩＰメッセージをモニタし、ＳＩＰ  ＵＥ  １１９用にＱｏＳプロキシ（ＰＣＭＭ  ＰＤＰ  １４１）中へのＧｏインターフェースを論理的に実現するソフトウェアを有する。Ｇｏプロキシ１５１ソフトウェアは、好ましくはＩＭＳの実施態様がＧｏまたはＧｑインターフェースをサポートしない場合に使用される。
【００２５】
Ｇｏプロキシ１５１は、ＩＭＳ  ＵＥからＰ−ＣＳＣＦ  １１３へ送信されるＧｍ（ＳＩＰ）インターフェースの複製からＩＭＳ  Ｇｏ（ＣＯＰＳ）インターフェースを論理的に導出するソフトウェアを備える。Ｇｍ（ＳＩＰ）インターフェースは、好ましくは、そのインターフェースが平文で正常に受信されたか、またはＩＭＳ  ＵＥとＰ−ＣＳＣＦ  １１３間のトランスポート層セキュリティ（ＴＬＳ）（Ｔｒａｎｓｐｏｒｔ  Ｌａｙｅｒ  Ｓｅｃｕｒｉｔｙ）のセキュリティの関連付けから平文で抽出された後、Ｐ−ＣＳＣＦ  １１３によって複製される。ＴＬＳは、インタ−ネット上で通信アプリケーションとそのユーザ間のプライバシーを保護するプロトコルである。サーバとクライアントが通信するとき、ＴＬＳは確実に、第三者が盗聴できたり、メッセージを改ざんできたりしないようにする。ＴＬＳはセキュア・ソケット層（ＳＳＬ）（Ｓｅｃｕｒｅ  Ｓｏｃｋｅｔｓ  Ｌａｙｅｒ）の後続の機能である。
【００２６】
本発明の例示的な実施形態では、Ｇｍ（ＳＩＰ）インターフェースはＰ−ＣＳＣＦ  １１３とケーブル・ゲートウェイ１０１間で保護されない。Ｇｏプロキシ１５１がＧｍインターフェース上のＳＩＰセッションの開始および解放を認識し、ＰＣＭＭ  ＰＤＰ  １４１の中へのＧｏ（ＳＩＰ）インターフェースを論理的に作成しなければならない。代替の例示的な実施形態では、Ｇｏプロキシ１５１およびＰＣＭＭ  ＰＤＰ  １４１の実際の実施態様は、ＰＣＭＭ  ＰＤＰ  １４１がＧｏ（ＳＩＰ）セッション用にＱｏＳを管理できる限り、内部定義された機構を使用する。
【００２７】
イベント・マネージャ１７１は、ＰａｃｋｅｔＣａｂｌｅ記録保持サーバへのＰｋｔ−ｅｍ３（Ｒａｄｉｕｓ）インターフェースを実現するソフトウェアを有する。例示的な実施形態では、ＰａｃｋｅｔＣａｂｌｅのセキュリティがこのインターフェースに適用される。イベント・マネージャ１７１は、ＰａｃｋｅｔＣａｂｌｅ  １．５  ＲＫＳインターフェース中へのＣａｂｌｅ  Ｇａｔｅｗａｙ  １０１上の呼関連のイベントの生成をサポートする。例示的な実施形態では、このイベントを請求目的またはモニタ目的に使用できる。
【００２８】
Ｅ−ＭＴＡ  １１２はＰａｃｋｅｔＣａｂｌｅ  １．０〜１．５用のＣａｂｌｅＬａｂｓ規格の中で定義される。Ｐ−ＣＳＣＦ  １１３は標準のＩＭＳプロキシ呼セッション制御機能の各種機能を実行し、さらにＰ−ＣＳＣＦ  １１３からケーブル・ゲートウェイ１０１までのインターフェースは、ＳＩＰ  ＵＥ  １１９からのＧｍ（ＳＩＰ）インターフェースの、ＩＰＳｅｃ暗号化のない、平文での複製である。このため、ケーブル・ゲートウェイ１０１は、ＩＭＳまたはケーブル・ゲートウェイ１０１上のＧｏまたはＧｑインターフェースのサポートに優先してケーブル・アクセス・ネットワーク上のＳＩＰ  ＵＥ  １１９用にＱｏＳを適用することができる。
【００２９】
ＰＤＦ  １１４は、ＩＭＳポリシー決定機能の種々の機能を実行し、好ましくはＩＭＳ  Ｇｏインターフェースを実現する。ＳＩＰ  ＵＥ  １１９は、例示的な実施形態ではＳＩＰ電話またはＳＩＰ  ＭＴＡである。
【００３０】
Ｉ／Ｓ−ＣＳＣＦ  １２２は、ＩＭＳ  Ｍｗ（ＳＩＰ）インターフェースを実現する標準ＩＭＳ問い合わせまたはサービス呼セッション制御機能である。ケーブル・ゲートウェイ１０１は、好ましくはＩＭＳ  Ｉ／Ｓ−ＣＳＣＦ  １２２へのＭｗ（ＳＩＰ）インターフェースをＰａｃｋｅｔＣａｂｌｅ  １．５リモートＣＭＳへのＰｋｔ−ｃ２（ＣＭＳＳ）インターフェースと調和させる。
【００３１】
リモートＣＭＳ  １２３は、好ましくはケーブル・ゲートウェイ１０１が関与する呼の少なくとも１本の足を表す標準ＰａｃｋｅｔＣａｂｌｅ  １．５呼管理システムである。ＣＭＴＳ  １３２は、好ましくはＤＯＣＳＩＳ、ＰａｃｋｅｔＣａｂｌｅ  １．５およびＰａｃｋｅｔＣａｂｌｅマルチメディア用のＣａｂｌｅＬａｂｓ規格で定義される。
【００３２】
ＰＣＭＭポリシー・サーバ１４２は、アプリケーション・マネージャからＰｋｔ−ｍｍ３（ＣＯＰＳ）インターフェースを受け入れ、ＣＭＴＳ  １３２にＰｋｔ−ｍｍ２（ＣＯＰＳ）インターフェースを適用するＰａｃｋｅｔＣａｂｌｅマルチメディア・ポリシー・サーバである。ＰＣＭＭポリシー・サーバ１４２は、アプリケーション・マネージャに対してポリシー強制ポイントとして動作し、ＣＭＴＳ  １３２に対してポリシー決定ポイントとして動作する。ＲＫＳ  １７２は、Ｐｋｔ−ｅｍ３（Ｒａｄｉｕｓ）インターフェースを用いてケーブル・ゲートウェイ１０１とインターフェース接続する。ＰａｃｋｅｔＣａｂｌｅセキュリティがＰｋｔ−ｅｍ３（Ｒａｄｉｕｓ）インターフェースに適用される。
【００３３】
Ｇｍ（ＳＩＰ）インターフェースが、ＵＥ  １１９とＰ−ＣＳＣＦ  １１３との間、およびＰ−ＣＳＣＦ  １１３とケーブル・ゲートウェイ１０１との間で使用され、このインターフェースは、プライベート・ヘッダ拡張子と共に、ＳＩＰを用いてＩＭＳユーザ機器（ＵＥ）と呼セッション制御機能（ＣＳＣＦ）（Ｃａｌｌ  Ｓｅｓｓｉｏｎ  Ｃｏｎｔｒｏｌ  Ｆｕｎｔｉｏｎ）間でメッセージを交換するＩＭＳ参照ポイントである。
【００３４】
Ｇｏ（ＣＯＰＳ）インターフェースがＰＤＦ  １１４とケーブル・ゲートウェイ１０１間で使用され、このインターフェースは、ＣＯＰＳプロトコルを用いてユーザ・レベルでＱｏＳを管理し、課金相関関係情報を交換するＩＭＳ参照ポイントである。
【００３５】
Ｇｑ（Ｄｉａｍｅｔｅｒ）インターフェースがＩＭＳ  Ｐ−ＣＳＣＦ  １１３とケーブル・ゲートウェイ１０１間で使用され、このインターフェースは、Ｄｉａｍｅｔｅｒプロトコルを用いてサービスの品質に関するポリシーについて情報を交換するＩＭＳ参照ポイントである。
【００３６】
Ｍｗ（ＳＩＰ）インターフェースがＩ／Ｓ  ＣＳＣＦ  １２２とケーブル・ゲートウェイ１０１間で使用され、このインターフェースは、ＣＳＣＦ相互間でメッセージを交換するために使用されるＩＭＳ参照ポイントである。
【００３７】
Ｐｋｔ−ｃ１（ＮＣＳ）インターフェースがＥ−ＭＴＡ  １１２とケーブル・ゲートウェイ１０１間で使用され、このインターフェースは呼シグナリング・メッセージ用のインターフェースである。好ましいプロトコルは、ネットワーク・ベース呼シグナリング（ＮＣＳ）（Ｎｅｔｗｏｒｋ−Ｂａｓｅｄ  Ｃａｌｌ  Ｓｉｇｎａｌｉｎｇ）、すなわち、ＭＧＣＰのプロトコルである。
【００３８】
Ｐｋｔ−ｃ２（ＣＭＳＳ）インターフェースがリモートＣＭＳ  １２３とケーブル・ゲートウェイ１０１間で使用され、このインターフェースは呼シグナリング用のインターフェースである。例示的な実施形態では、このプロトコルは呼管理サーバ・シグナリング（ＣＭＳＳ）（Ｃａｌｌ  Ｍａｎａｇｅｍｅｎｔ  Ｓｅｒｖｅｒ  Ｓｉｇｎａｌｉｎｇ）、すなわち、ＳＩＰの拡張版である。
【００３９】
Ｐｋｔ−ｅ１（ＤＱｏＳ）インターフェースがＣＭＴＳ  １３２とケーブル・ゲートウェイ１０１間で使用され、このインターフェースは、呼データおよび呼コンテンツの合法的インターセプトの監視を設定するインターフェース、好ましくはＣＯＰＳ  ＤＱｏＳである。Ｐｋｔ−ｅｍ１（ＤＱｏＳ）インターフェースがＣＭＴＳ  １３２とケーブル・ゲートウェイ１０１間で使用され、このインターフェースは、請求相関関係ＩＤ、およびＣＭＴＳ  １３２がＲＫＳ  １７２にイベント・メッセージを送信するために必要な他のデータを運ぶＤＱｏＳ  Ｇａｔｅ−Ｓｅｔメッセージを運ぶために使用されるインターフェースである。
【００４０】
Ｐｋｔ−ｅｍ２（ＣＭＳＳ）インターフェースがＣＭＳとケーブル・ゲートウェイ１０１間で使用され、このインターフェースは、請求相関関係ＩＤおよび請求に必要な他のデータを運ぶために使用されるインターフェースである。このプロトコルは好ましくはＣＭＳＳであり、これはＳＩＰの拡張版である。
【００４１】
Ｐｋｔ−ｅｍ３（Ｒａｄｉｕｓ）インターフェースがＲＫＳ  １７２とケーブル・ゲートウェイ１０１間で使用され、このインターフェースは、ケーブル・ゲートウェイ１０１からＲＫＳ  １７２へＰａｃｋｅｔＣａｂｌｅイベント・メッセージを運ぶインターフェースであり、好ましくはトランスポート・プロトコルとしてＲａｄｉｕｓを使用する。
【００４２】
Ｐｋｔ−ｍｍ２（ＣＯＰＳ）インターフェースがＰＣＭＭポリシー・サーバ１４２とＣＭＴＳ  １３２間で使用され、このインターフェースは、ＣＭＴＳ  １３２上のサービス・ゲートの品質を設定するために使用されるインターフェースである。Ｐｋｔ−ｍｍ−２（ＩＰＳｅｃ）インターフェースはＰＣＭＭポリシー・サーバ１４２とＣＭＴＳ  １３２間で使用され、このインターフェースはセキュリティ・インターフェースとして使用される。
【００４３】
Ｐｋｔ−ｍｍ３（ＣＯＰＳ）インターフェースがＰＣＭＭポリシー・サーバ１４２とケーブル・ゲートウェイ１０１間で使用され、このインターフェースは、ＣＭＴＳ  １３２上のサービス・ゲートの品質を設定するために使用されるインターフェースである。Ｐｋｔ−ｍｍ−３（ＩＰＳｅｃ）インターフェースがＰＣＭＭポリシー・サーバ１４２とケーブル・ゲートウェイ１０１間で使用され、このインターフェースはセキュリティ・インターフェースとして使用される。
【００４４】
Ｐｋｔ−ｐ６（Ｋｅｒｂｅｒｏｓ）インターフェースがＥ−ＭＴＡ  １１２とケーブル・ゲートウェイ１０１間で使用され、このインターフェースは、Ｋｅｒｂｅｒｏｓプロトコルを用いてＩＰＳｅｃセキュリティの関連付けを確立するために使用されるインターフェースである。
【００４５】
Ｐｋｔ−ｑ３（ＤＱｏＳ）インターフェースがＥ−ＭＴＡ  １１２とケーブル・ゲートウェイ１０１間で使用され、このインターフェースはシグナリング・インターフェースである。このインターフェースを渡るパラメータには、好ましくはＩＰアドレス、ポート番号ならびにコーデックおよびパケット化特性の選択がある。
【００４６】
Ｐｋｔ−ｑ４インターフェースがＣＭＴＳ  １３２とケーブル・ゲートウェイ１０１間で使用され、このインターフェースは、メディア・ストリーム・セッション用のサービス・ゲートの品質を管理するためのインターフェースである。
【００４７】
Ｐｋｔ−ｑ６インターフェースがリモートＣＭＳ  １２３とケーブル・ゲートウェイ１０１間で使用され、このインターフェースは、２つのＰａｃｋｅｔＣａｂｌｅ  ＣＭＳ間のドメイン内およびドメイン間セッションを確立するために使用されるインターフェースである。Ｐｋｔ−ｑ６インターフェースは、好ましくは、呼の完了が許可される前に接続の両端でＱｏＳリソースが使用可能であることを確実にする方法を備える。
【００４８】
Ｐｋｔ−ｓ５（ＩＰＳｅｃ）インターフェースがＥ−ＭＴＡ  １１２とケーブル・ゲートウェイ１０１間で使用され、このインターフェースはＩＰＳｅｃを介してセキュリティ・インターフェース、メッセージ完全性およびプライバシーを提供する。Ｐｋｔ−ｓ６（ＩＰＳｅｃ）インターフェースがＲＫＳ  １７２とケーブル・ゲートウェイ１０１間で使用され、このインターフェースはＩＰＳｅｃを介してセキュリティ・インターフェース、メッセージ完全性およびプライバシーを提供する。Ｐｋｔ−ｓ８（ＩＰＳｅｃ）インターフェースがＣＭＴＳ  １３２とケーブル・ゲートウェイ１０１間で使用され、このインターフェースはＩＰＳｅｃを介してセキュリティ・インターフェース、メッセージ完全性およびプライバシーを提供する。
【００４９】
Ｐｋｔ−ｓ１６（ＩＰＳｅｃ）インターフェースがリモートＣＭＳ  １２３とケーブル・ゲートウェイ１０１間で使用され、このインターフェースはＩＰＳｅｃを介してセキュリティ・インターフェース、メッセージ完全性およびプライバシーを提供する。
【００５０】
ＣＭＳＳ／Ｍｗ正規化インターフェースが、リモートＣＭＳ  １２３への標準Ｐｋｔ−ｃ２（ＣＭＳＳ）インターフェースおよびＩＭＳ  Ｉ／Ｓ−ＰＳＣＦ  １２３への標準ＩＭＳ  Ｍｗ（ＳＩＰ）インターフェースを調和させるソフトウェアと共に使用される。ＰａｃｋｅｔＣａｂｌｅのセキュリティがＰｋｔ−ｃ２インターフェースに適用される。ＴＬＳ（ＩＭＳ）インターフェースがＵＥ  １１９とＰ−ＣＳＣＦ  １１３間で使用され、このインターフェースはトランスポート層セキュリティ、すなわち、ＩＭＳアーキテクチャでセキュリティ用に用いられるＩＥＴＦプロトコルである。
【００５１】
本発明はケーブル・ゲートウェイを用いて、ＶｏＩＰ用途における消費者機能を提供する。ケーブル・ゲートウェイ１０１はメディアおよびエンドポイント層で動作してＰａｃｋｅｔＣａｂｌｅ／ＤＯＣＳＩＳケーブル・アクセス・ネットワークを３ＧＰＰ／３ＧＰＰ２  ＩＭＳに正規化する。３ＧＰＰ／３ＧＰＰ２  ＩＭＳアーキテクチャに正規化することにより、ケーブル・アクセス・ネットワークは、ここで、複数のアクセス技術、例えば、ＵＭＴＳ、８０２．１１、Ｂｌｕｅｔｏｏｔｈ、ケーブル、ＤＳＬ、ＦＴＴＰ、ＷｉＭＡＸなどにまたがる整合したセッション／アプリケーションのインフラストラクチャに融合させることができる。次世代ネットワーク（ＮＧＮ）（Ｎｅｘｔ  Ｇｅｎｅｒａｔｉｏｎ  Ｎｅｔｗｏｒｋ）用のケーブル固有の定義に対するこの方法の利点は、ネットワーク・オペレータがコアＮＧＮネットワークのエレメントを変更せずに、ネットワーク・オペレータの目録に異なるブロードバンド・アクセス・ネットワークを自由に追加できることである。ケーブル固有の定義が用いられると、ケーブル・アクセスを、例えば、ＤＳＬまたはワイヤレス・ブロードバンドに融合させることは、２つのインフラストラクチャを必要とする。
【００５２】
本発明を発明の特定の例に関して説明してきたが、本発明が上記の説明に限定されることは意図されておらず、本発明は添付の特許請求の範囲に記載された範囲のみに限定される。
【図面の簡単な説明】
【００５３】
【図１】本発明の例示的な実施形態に従ったＶｏＩＰ用途において消費者機能を提供するためのケーブル・ゲートウェイおよびＩＭＳアーキテクチャを備えた通信システムを示す図である。
【図１】
2009510812.tif 000003
【国際調査報告】
2009510812.tif 000004
2009510812.tif 000005
2009510812.tif 000006